(57)【要約】      （修正有）【課題】防水の電子機器の構造を提供する。【解決手段】電子機器は、筐体２Ｃと、音を集音するマイク７Ｂと、音を出力するスピーカ７Ｃと、を有する電子機器である。前記筐体は、筐体内に位置する、音を集音するマイクへ筐体の外部の音を導くためのマイク孔１３Ｂと、筐体内に位置する、音響素子からの音を筐体の外部へ放出するためのスピーカ１３Ｃと、を有する。スピーカ孔の壁面には、マイク孔に通じる開口１８Ｅがあり、マイク孔に溜まった水を排出することが可能である。【選択図】図５
2017175284.tif 000002
【特許請求の範囲】
【請求項１】
筐体と、
前記筐体内に位置し音を出力する第１の音響素子と、を有する電子機器であって、
前記筐体は、外部に通じる第１の孔と、前記第１の音響素子からの音を前記筐体の外部に放出するための第２の孔と、を有し、
前記第２の孔の壁面には、前記第１の孔に通じる第１の開口がある電子機器。
【請求項２】
前記筐体内に位置し音を集音する第２の音響素子をさらに有し、
前記第１の孔は、前記第２の音響素子に前記筐体の外部の音を導くための孔である、
請求項１に記載の電子機器。
【請求項３】
前記第１の開口の面積は、前記第２の孔の断面積より小さい、
請求項１又は２に記載の電子機器。
【請求項４】
水を検知する検知部を更に有し、
前記検知部が水を検知すると、所定の条件に基づいて前記第１の音響素子の鳴動を行う、
請求項１乃至３のいずれかに記載の電子機器。
【請求項５】
前記所定の条件は、前記検知部が水を検知しなくなり、所定の時間が経過することである、
請求項４に記載の電子機器。
【請求項６】
前記所定の時間が経過する前に、
前記電子機器がシャットダウンされるとき、
シャットダウンする前に前記第１の音響素子の鳴動を行う、
請求項５に記載の電子機器。
【請求項７】
前記所定の条件は、前記電子機器に対するユーザによる所定の入力である、
請求項４に記載の電子機器。
【請求項８】
前記鳴動は、１．２ｋＨｚから６００Ｈｚの周波数の音声データに基づいて行われる、
請求項４乃至７のいずれかに記載の電子機器。
【請求項９】
前記鳴動は、２０ｋＨｚ以上の周波数の音声データに基づいて行われる、
請求項４乃至７のいずれかに記載の電子機器。
【請求項１０】
前記第１の開口は、前記第１の孔の壁面へ通じる第３の孔へ通じている、
請求項１乃至９のいずれかに記載の電子機器。
【請求項１１】
前記第３の孔は、前記第１の孔側では細く、前記第２の孔側では太い、
請求項１０に記載の電子機器。
【請求項１２】
前記第１の孔は、前記筐体の外部に繋がる第２の開口および第３の開口を有する、
請求項１乃至１１のいずれかに記載の電子機器。
【請求項１３】
前記第２の開口および前記第３の開口は、前記電子機器の面の内、隣接する別の面にそれぞれが設けられており、前記第１の孔は前記第２の開口および前記第３の開口の間を最短距離で結ぶ、
請求項１２に記載の電子機器。
【請求項１４】
前記電子機器は、音響を出力する外部機器を接続する接続部を更に有し、
前記接続部に前記外部機器が接続されている場合であっても、前記第１の音響素子による鳴動を行う、
請求項１乃至１３のいずれかに記載の電子機器。
【発明の詳細な説明】
【技術分野】
【０００１】
本出願は、電子機器に関する。
【背景技術】
【０００２】
従来、筐体の開口に水が浸入しても音響特性を維持できる電子機器があった（例えば、特許文献１参照）。
【先行技術文献】
【特許文献】
【０００３】
【特許文献１】特開２０１１−１９３１８３号公報
【発明の概要】
【発明が解決しようとする課題】
【０００４】
防水の電子機器の構造には改良の余地がある。
【課題を解決するための手段】
【０００５】
一つの態様に係る電子機器は、筐体と、前記筐体内に音を出力する第１の音響素子と、を有する電子機器であって、前記筐体は、第１の孔と、前記第１の音響素子からの音を前記筐体の外部に放出するための第２の孔と、を有し、前記第２の孔の壁面には、前記第１の孔に通じる開口がある。
【０００６】
前記第１の孔は、前記筐体内にある、音を集音する第２の音響素子に前記筐体の外部の音を導くための孔であってもよい。
【０００７】
前記開口の面積は、前記第２の孔の断面積より小さくてもよい。
【０００８】
前記電子機器は、水を検知する検知部を更に有し、前記検知部が水を検知すると、所定の条件に基づいて前記第１の音響素子の鳴動を行ってもよい。
【０００９】
前記所定の条件は、前記検知部が水を検知しなくなり、所定の時間が経過することであってもよい。
【００１０】
前記所定の時間が経過する前に、前記電子機器がシャットダウンされるとき、シャットダウンする前に前記第１の音響素子の鳴動を行ってもよい。
【００１１】
前記所定の条件は、前記電子機器に対するユーザによる所定の入力であってもよい。
【００１２】
前記鳴動は、１．２ｋＨｚから６００Ｈｚの周波数の音声データに基づいて行われてもよい。
【００１３】
前記鳴動は、２０ｋＨｚ以上の周波数の音声データに基づいて行われてもよい。
【００１４】
前記開口は、前記第２の孔の壁面へ通じる第３の孔へ通じていてもよい。
【００１５】
前記第３の孔は、前記第１の孔側では細く、前記第２の孔側では太くてもよい。
【００１６】
前記第１の孔は、前記筐体の外部に繋がる２つの開口を有していてもよい。
【００１７】
前記２つの開口は、前記電子機器の面の内、隣接する別の面にそれぞれが設けられており、前記第１の孔は前記２つの開口の間を最短距離で結んでもよい。
【００１８】
前記電子機器は、音響を出力する外部機器を接続する接続部を更に有し、前記接続部に前記外部機器が接続されている場合であっても、前記第１の音響素子による鳴動を行ってもよい。
【発明の効果】
【００１９】
本出願によれば、水に濡れた後の電子機器の動作の不具合を改善できる。
【図面の簡単な説明】
【００２０】
【図１】図１は、第１の実施例に係るスマートフォンのある一方向からの外観図である。
【図２】図２は、第１の実施例に係るスマートフォンの異なる一方向からの外観図である。
【図３】図３は、第１の実施例に係るスマートフォンの機能構成を示すブロック図である。
【図４】図４は、スピーカおよびマイク周辺の構造図の一例である。
【図５】図５は、第１の実施例に係るスピーカおよびマイク周辺の構造図の一例である。
【図６】図６は、第１の実施例に係るスピーカおよびマイク周辺の構造図の一例である。
【図７】図７は、第１の実施例に係る画面の表示を示す図である。
【図８】図８は、第２の実施例に係るスピーカおよびマイク周辺の構造図の一例である。
【図９】図９は、第２の実施例に係るスピーカおよびマイク周辺の構造図の一例である。
【図１０】図１０は、第２の実施例に係るスピーカおよびマイク周辺の構造図の一例である。
【図１１】図１１は、第２の実施例に係るスピーカおよびマイク周辺の構造図の一例である。
【図１２】図１２は、第２の実施例に係るスマートフォンの外観図である。
【発明を実施するための形態】
【００２１】
本出願に係る電子機器、制御方法及び制御プログラムを実施するための複数の実施形態を、図面を参照しつつ詳細に説明する。以下では、本出願に係る電子機器の一例として、スマートフォン１を取り上げて説明する。
【００２２】
＜第１の実施例＞
図１〜３を参照しつつ、本実施例に係るスマートフォン１の構成の一例を説明する。図１および２はスマートフォン１の外観図である。スマートフォン１は、タッチパネル２Ａと、ディスプレイ２Ｂと、筐体２Ｃと、ボタン３と、電源４と、照度センサ５Ａと、近接センサ５Ｂと、加速度センサ５Ｃと、ジャイロセンサ５Ｄ、方位センサ５Ｅと、気圧センサ５Ｆと、通信ユニット６と、レシーバ７Ａと、マイク７Ｂと、スピーカ７Ｃと、インカメラ８Ａと、アウトカメラ８Ｂと、ストレージ９と、プロセッサ１０と、コネクタ１１と、イヤホンジャック１２と、を備える。
【００２３】
なお、本明細書中においてスマートフォン１の上部や下部と表現するが、スマートフォン１の上部とは図１および図２の紙面奥側を指し、スマートフォン１の下部とは図１およ
び図２の紙面手前側を指す。なお、図１において示されているディスプレイ２Ｂを備える面を前面、図２において示されているスピーカ孔１３Ｃの開口１８Ｃを有する面を背面と呼称する。
【００２４】
タッチパネル２Ａは、静電容量方式、電磁誘導方式、表面弾性波方式、感圧方式、液抵抗膜方式、赤外線方式などの方式が任意で用いられ、指またはスタイラスペンなどの接触および近接を検知する。これによりスマートフォン１に対するユーザの操作を識別し、プロセッサ１０に送る。静電容量方式のタッチパネル２Ａを採用する場合は静電容量の変化を測定することで水中であることを検知できる。具体的にいうと、静電容量がある一定の値の近傍でタッチパネル２Ａの全面にわたって均一となったとき、水没したと判定できる。またタッチパネルが検出する領域のうち、一部の領域において、静電容量が均一となった場合もその領域が水に覆われていることがわかる。表面弾性波方式のタッチパネル２Ａを採用した場合はタッチパネル２Ａが検出する表面弾性波の減衰の測定により水に接触していることを検出できる。また感圧方式のタッチパネル２Ａを採用した場合は水圧の検出によって、赤外線方式のタッチパネル２Ａを採用した場合は赤外線の減衰を利用することで水に接触していることを検出できる。以上のことから、タッチパネル２Ａは水検知部として利用できる。
【００２５】
ディスプレイ２Ｂは、画像を表示できる。ユーザはディスプレイ２Ｂの表示に基づいて端末の状態を確認することができる。ディスプレイ２Ｂは、例えば液晶ディスプレイ、有機ＥＬディスプレイ、無機ＥＬディスプレイ、電子ペーパー等の表示デバイスが用いられる。ディスプレイ２Ｂはスマートフォン１における表示部として機能する。
【００２６】
タッチパネル２Ａとディスプレイ２Ｂは重ねて配置されてもよいし、別の場所に設けられてもよい。またタッチパネル２Ａとディスプレイ２Ｂのそれぞれが別の面に設けられても良いし、それぞれが複数設けられてもよい。また入力機能と表示機能とを併せ持ったインセル型ディスプレイであってもよい。タッチパネル２Ａおよびディスプレイ２Ｂはガラスによって保護されている。保護するためのガラスには対傷性が高い化学強化ガラスやサファイアガラス等が用いられる。また樹脂であってもよい。
【００２７】
筐体２Ｃは、本実施例では、樹脂材料により形成され、前面パネルと背面パネルを接合して構成される。前面パネルはスマートフォン１の前面を構成する部材であり、背面パネルはスマートフォン１の背面を構成する部材である。なお金属等の種々の材料であってもよいし、複数の材料を用いて構成されてもよい。また前面パネルと背面パネルの組み合わせでなく、一つの部材で構成されてもよいし、全面パネルおよび背面パネルの２つの部材でなく、更に多くの部材が用いられても良い。また後述するディスプレイ２Ａ等を保護するガラス面を合わせて筐体２Ｃと考えてもよい。
【００２８】
ボタン３は押下されることでスマートフォン１の電源をｏｆｆにするシャットダウン操作または電源をｏｎにするブート操作、スリープモードへの切り替えまたはスリープモードの解除、音量調整などを含むユーザからの種々の入力を受け付ける。ボタン３の数は単数でも複数でもよいし、タスクスイッチやメンブレンスイッチを使った物理キーであっても、タッチパネル２Ａの一部を使い設けられたソフトキーであってもよい。また静電容量方式や感圧方式等により入力を検出する構造でもよい。物理キーである場合には、水中での使用時にも入力が可能であり、更に静電容量方式や感圧方式のセンサを有していれば、水を検知することも可能である。つまりそれらのセンサを搭載した物理キーも水検知部としての機能を有しうる。
【００２９】
電源４は、スマートフォン１の各部に電力を供給する。電源４には例えばバッテリが用いられる。
【００３０】
照度センサ５Ａは周囲の照度を検出し、ディスプレイ２Ｂの明るさを制御するために用いられる。照度センサ５Ａが検出する照度が高くなるほど、ディスプレイ２Ｂの視認性向上のため、プロセッサ１０は、ディスプレイ２Ｂを明るく設定する。照度センサは照度検出部として利用できる。
【００３１】
近接センサ５Ｂは静電容量方式、超音波方式、光電方式、磁気方式、誘導方式などの方式が任意で用いられ、近接センサ５Ｂに対する物体の近接を検出する。静電容量方式の場合は静電容量の変化を利用して、超音波方式や光電方式などでは水中での減衰を利用して、水の検出が可能である。つまり近接センサも水を検知する検知部としての機能を有しうる。
【００３２】
なお照度センサ５Ａと近接センサ５Ｂは別個に備えるのではなく、近接センサ５Ｂは照度センサ５Ａの機能を兼ねていてもよいし、照度センサ５Ａを近接センサ５Ｂの代替として用いてもよい。つまり、近接センサ５Ｂが照度検出部として用いられても良い。
【００３３】
加速度センサ５Ｃは、スマートフォン１に作用する加速度の方向や大きさを検出する。
【００３４】
ジャイロセンサ５Ｄは、スマートフォン１の角速度を検出する。
【００３５】
方位センサ５Ｅは、地磁気の向きを検出し、スマートフォン１の向く方位を検出する。
【００３６】
気圧センサ５Ｆは、スマートフォン１に作用する気圧を検出する。気圧センサ５Ｆは、筐体２Ｃの開口に貼付けられた空気を通し且つ水を通さない防水シートに保護された領域に配置され、外部の気圧を測定する。この防水シートは、水に濡れると空気を通さなくなる。つまり水に濡れた状態では、気圧センサ５Ｆ周辺での空気の流入および排出がなくなるため、気圧センサ５Ｆの示す気圧情報の変化は小さくなる。つまり気圧センサ５Ｆは、気圧の変化を測定することによってスマートフォン１が水中にあるかを判定する水の検知部としても利用できる。
【００３７】
通信ユニット６は、通信のための信号を変換する回路や送受信するためのアンテナを備える。通信ユニット６が使用する通信規格は無線通信であり、例えば２Ｇ、３Ｇ、ＬＴＥ（Ｌｏｎｇ  Ｔｅｒｍ  Ｅｖｏｌｕｔｉｏｎ）、４Ｇ、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、Ｂｌｕｅｔｏｏｔｈ（登録商標）、ＩＥＥＥ８０２．１１、ＮＦＣ（Ｎｅａｒ  Ｆｉｅｌｄ  Ｃｏｍｍｕｎｉｃａｔｉｏｎ）、ＩｒＤＡ（Ｉｎｆｒａｒｅｄ  Ｄａｔａ  Ａｓｓｏｃｉａｔｉｏｎ）、Ｚｉｇｂｅｅ（登録商標）等であり、またこれに限られず種々の無線通信方式を含む。これはスマートフォン１における通信部として機能する。通信ユニット６はインターネット通信を利用することで天気情報や日時情報を含む種々の情報の取得ができる。また３ＧやＬＴＥ等の通信方式での通信機能を有する場合、接続している基地局を元に位置情報を推測できる。
【００３８】
レシーバ７Ａはレシーバ孔１３Ａを通し、音を出力する。レシーバ７Ａはユーザがスマートフォン１を手に把持して耳に当てて通話する際の音声の出力に用いられるが、音楽、アラーム、通知音等の種々の音声データ９Ｅに基づく音響であっても出力することができる。レシーバ７Ａは前面パネルのタッチパネル２Ａを備える面に開設されたレシーバ孔１３Ａの内側に設けられている。
【００３９】
スピーカ７Ｃはスピーカ孔１３Ｃを通し、音響を出力する。スピーカ７Ｃは、振動板を振動させることにより、主に動画の音声、音楽、アラーム等の種々の音声データ９Ｅに基
づく音響を出力することができる。またハンズフリー通話時の相手側の通話音声の出力にも用いられる。一般的にスピーカ７Ｃの出力できる音量はレシーバ７Ａより大きい。スピーカ孔１３Ｃは、本実施例においては、図２に示すように、背面パネル側に設けられているが、前面パネル側や側面等を含むスマートフォン１のどの面にあってもよい。つまりディスプレイ２Ｂおよびタッチパネル２Ａを保護するガラスに設けられていてもよいし、ボタン３の間の隙間を大きくとり、スピーカ孔１３Ｃとしてもよい。またスピーカ７Ｃおよびスピーカ孔１３Ｃが複数あってもよい。
【００４０】
なおレシーバ７Ａとスピーカ７Ｃは、どちらか一方のみが設けられ、他方の機能を兼ねてもよい。
【００４１】
マイク７Ｂはマイク孔１３Ｂおよびマイク７Ｂ前面に配置された防水シート１６およびクッション１７を経て、筐体２Ｃ内へ侵入した音響を集音する。ユーザの声や周囲の環境音等はマイク７Ｂによって音声信号へ変換される。マイク７Ｂは一つとは限らず複数設けられても良い。なお、一般的にデザイン上および強度上の観点から、マイク孔１３Ｂは細い。本実施例においてもマイク孔１３Ｂはスピーカ孔１３Ｃより小さい径を有する。
【００４２】
なお、複数の部材を接合して筐体２Ｃを構成しているときには、スピーカ孔１３Ｃおよびマイク孔１３Ｂは単体の部材に設けられた孔ではなく、複数の部材を接合したとき初めて形成されてもよい。またスピーカ孔１３Ｃは複数の小さい孔の集合であってもよい。
【００４３】
インカメラ８Ａおよびアウトカメラ８Ｂは、撮影した画像を電気信号に変換する。インカメラ８Ａはスマートフォン１のディスプレイ２Ｂを備える面に設けられ、アウトカメラ８Ｂはインカメラ８Ａとは反対側の面に設けられる。
【００４４】
ストレージ９は、例えばフラッシュメモリ、ＨＤＤ、ＳＳＤ、メモリカード、光ディスク、光磁気ディスク、ＲＡＭ等の記憶媒体によって構成され、プログラムやデータを記憶する。ストレージ９は複数の種類の記憶媒体の組み合わせであってもよいし、記憶媒体に加えてそれら記憶媒体から情報を読み取る読み取り装置まで含めてもよい。
【００４５】
ストレージ９に記憶されるプログラムは、スマートフォン１の動作を制御する制御プログラム９Ａと、アプリケーション９Ｂと、とを含む。制御プログラム９Ａには、例えばＯＳが含まれる。アプリケーション９Ｂとは、対応するアイコンに入力を受け付けたとき、フォアグラウンドで実行され、当該アプリケーションへの操作が可能な画面がディスプレイ２Ｂに表示されるものである。またはバックグラウンドで実行されてもよい。アプリケーション９Ｂはユーザがインストールするものも含む。またストレージ９に記憶されるデータには、種々の設定情報９Ｃ、種々のセンサからの信号の履歴情報等を含むセンサ情報９Ｄ、センサ情報９Ｄから判定された結果や音声データ９Ｅ等が保存される。
【００４６】
プロセッサ１０は、制御部の一例である。スマートフォン１は少なくとも一つのプロセッサを含み、以下で述べる各種の機能を実現するための制御と処理能力を提供する。種々の実施例によると、プロセッサ１０はＩＣ（Ｉｎｔｅｇｒａｔｅｄ  Ｃｉｒｃｕｉｔ）または複数の通信可能に接続されたＩＣおよび／またはディスクリート回路を実装していてもよい。プロセッサ１０は様々な既知の技術によって実現されてもよい。一つの実施例では、プロセッサ１０は１以上のデータ計算手段またはデータ計算処理を可能とする１以上の回路またはユニットを有する。例えばプロセッサ１０は、１以上のプロセッサ、コントローラ、マイクロプロセッサ、マイクロコントローラ、ＡＳＩＣ（Ａｐｐｌｉｃａｔｉｏｎ  ｓｐｅｃｉｆｉｃ  ｉｎｔｅｇｒａｔｅｄ  ｃｉｒｃｕｉｔ）、デジタル信号プロセッサ、プログラマブルロジックデバイス、ＦＰＧＡ（Ｆｉｅｌｄ  ｐｒｏｇｒａｍｍａｂｌｅ  ｇａｔｅ  ａｒｒａｙ）か、またはこれらのデバイス、構造、その他のデバイスや
構造の組み合わせによって構成され、本明細書で示す機能を果たす。
【００４７】
プロセッサ１０は判定ユニットとハンドオフユニットを含む。いくつかの実施例では、判定ユニットとハンドオフユニットは、プロセッサ１０に含まれる処理回路によって実行されるときに、メモリに保存された実行可能な命令として実現され、本明細書で説明するそれぞれのプロセスを実行する。もう一つの実施例では、本明細書で示すそれぞれの機能を果たすために、判定ユニットおよび／またはハンドオフユニットはプロセッサ１０と通信可能に接続されたセパレートＩＣまたはディスクリート回路によって実現されてもよい。
【００４８】
アプリケーション９Ｂや制御プログラム９Ａはプロセッサ１０によって実行され、スマートフォン１の動作はプロセッサ１０によって統括的に制御され、各種の機能が実現される。
【００４９】
スマートフォン１は上記の各機能部の他、ＧＰＳ（Ｇｌｏｂａｌ  Ｐｏｓｉｔｉｏｎｉｎｇ  Ｓｙｓｔｅｍ）受信機やバイブレータを設けていてもよい。ＧＰＳ受信機により受信したＧＰＳ衛星からの信号を用いて、プロセッサ１０は現在位置を検出できる。これにより、通信ユニット６だけでなく、プロセッサ１０もまた位置情報取得部としての機能を有する。バイブレータは偏心モータや圧電素子等を有し、スマートフォン１全体を振動させることでユーザに対する報知等に用いられる。
【００５０】
なお、上記のスマートフォン１は防水機能を備えており、図示しないが防水パッキンや接着剤等による封止など各所に筐体２Ｃ内部への水の浸入を防ぐための機構を更に備えている。しかしながら筐体２Ｃに対して必要上設けられたスピーカ孔１３Ｃおよびマイク孔１３Ｂ等の開口１８Ｂの内部には、水が残留することがある。
【００５１】
図４〜６は、図２のＡ−Ａ'断面を拡大した断面図である。特に、図４に示す構造の場
合、マイク孔は細く、一度水が浸入してしまうと表面張力の大きな水は、マイク孔１３Ｂの内部に残留しやすい。更に筐体２Ｃ内部から外部へ押し出す方向への空気の流れも生じないことから、取り除くことが困難となる。そしてこれらの残留した水が原因となり、スマートフォン１が備える機能を十分に発揮できない場合がある。その例の一つとして、マイク孔１３Ｂに水が残留し、音響がマイク７Ｂに届くことを阻害することが挙げられる。例えば水に濡れる環境下で使用した後、表面の水を拭き取り通話を開始したとしても、マイク孔１３Ｂに水が残留していると、水により音が伝達しづらくなり、通話の相手に伝わる声は著しく小さくなる。またユーザが当該不具合の原因がマイク孔１３Ｂに残留した水であると気付く可能性は低く、例え原因に気づいたとしてもスマートフォン１を振る程度では取り除けず、通話中に即座に改善しづらい。
【００５２】
それに対して、図５や図６に示す構成では、スマートフォン１の筐体２Ｃには、スピーカ孔１３Ｃとマイク孔１３Ｂが設けられ、マイク孔１３Ｂはスピーカ孔１３Ｃと通じている。
【００５３】
上記の構成において、スピーカ７Ｃが鳴動すると音響が発生する。スピーカ７Ｃは振動板を振動させ音響を発生させるが、同時にその振動によって、空気の流動が発生する。このとき流動した空気は、大部分がスピーカ７Ｃの前方に開設されたスピーカ孔１３Ｃの開口１８Ｃから放出されるが、一部は開口１８Ｅからマイク孔１３Ｂへ進む。そしてマイク孔１３Ｂに残留した水があるとき、流動した空気は水を押し出し、マイク孔１３Ｂの筐体２Ｃ外面側のマイク孔の開口１８Ｂからその空気と水がともに排出される。つまりスピーカ７Ｃの鳴動に伴って、マイク孔１３Ｂ内に残留した水が取り除かれる。またスピーカ７Ｃの鳴動がなくとも、スピーカ孔１３Ｃと通じることで空気の流路が確保されるため、開
口１８Ｂから、あるいは開口１８Ｅからマイク孔１３Ｂに残留した水が排出される。
【００５４】
図５には、マイク孔１３Ｂの形状がスピーカ７Ｃに近づくように曲がった形状である場合を示したが、当該構成によるとマイク孔１３Ｂのスピーカ孔１３Ｃ側の開口１８Ｅはスピーカ７Ｃの振動板の振動により発生した空気の流れをより多く取り込む構造となっており、マイク孔１３Ｂに導かれる空気の流量は増加する。図６にはマイク孔１３Ｂの形状を直線とした場合を示したが、当該構成によると、設計および製造が容易となる。
【００５５】
ここでは図５と図６の構成のみを示したが、それぞれの孔の形状や位置関係はこれに限られない。例えば、他の電子部品とのスペース上の兼ね合いから、他の電子部品をよける形状であってもよい。また複数のスピーカを有していれば、マイク孔１３Ｂは複数のスピーカ孔と接続する構成であってもよい。当該構成によれば、より多くの空気がマイク孔１３Ｂへ導かれることにより、より水を排出する能力が高くなる。また一つのスピーカ孔が複数のマイク孔へ通じていてもよい。当該構成によれば、一つのスピーカを鳴動させることで、複数のマイクの機能を回復することができる。
【００５６】
またここまで、マイク孔１３Ｂはスピーカ孔１３Ｃと接続する構成を挙げたが、別の構成であってもよい。スマートフォン１では下部に設けられたマイク７Ｂが主に用いられるが、ノイズキャンセリング等の用途のため、スマートフォン１の上部にマイク７Ｄ（不図示）およびマイク孔１３Ｄ（不図示）が設けられていることがある。スマートフォン１の上部に設けられたマイク孔１３Ｄの水を排出するダクトは、より近い距離にあるレシーバ孔１３Ａとの間に形成することが望ましい。よって、例えばスマートフォン１の上部において、レシーバ孔１３Ａとマイク孔１３Ｂとを繋ぐものであってもよい。レシーバ７Ａもスピーカ７Ｃと同様に音響を出力する機能を有するため、レシーバ孔１３Ａとマイク孔１３Ｂを繋ぐダクト１３Ｅを形成することで、同様に水を排除することができる。
【００５７】
図１および２では、マイク孔１３Ｂの開口１８Ｂは円形であることが示されているが、必ずしも断面の形状は円形に限られない。スピーカ孔１３Ｃの開口１８Ｃにおいても同様である。空気の流れを阻害しないため、なめらかな曲面形状であることが望ましいが、三角形や矩形、半円形、楕円形、扇型などどのような形状でも構わないし、経路中を通して形状および太さが一定でなくてもよい。またスピーカ孔１３やマイク孔１３Ｂの設けられる筐体２Ｃは、本実施例においては樹脂材料であることを上述したが、疎水性材料で構成するか、それぞれの孔の壁面に対して化学的な処置を加えて表面を改質し疎水性にすれば、より濡れにくくなり、水が排出されやすくなる。
【００５８】
ここまでスマートフォン１の構成を説明し、スピーカ７Ｃの鳴動に伴って自動的に水が排出されることを説明したが、スマートフォン１が水に濡れたとき、能動的にスピーカ７Ｃを鳴動させ、水を排出してもよい。具体的にはタッチパネル２Ａが一度水を検知し、その後、水を検知しなくなった状態が所定の時間、続いた状態等が挙げられる。当該状態では、マイク孔１３Ｂに水が浸入した可能性があり、且つ水を一定時間検知していないことから、水に濡れる環境下での使用を終了したと考えられ、再度水に濡れる可能性は低いと判断できる。
【００５９】
また水を検知した後、スピーカ７Ｃが鳴動する前にスマートフォン１がシャットダウン状態へ移行すると、スピーカ７Ｃの鳴動による水の排出が行われることなく、マイク孔１３Ｂの内部に水が長時間溜まることが予想される。水が長時間溜まると、水による金属部分の腐食や、海水など真水ではなかった場合にはそのまま乾燥し、防水シート１６上等に塩が析出し、防水シートの通気性を奪うなど種々の機能障害を引き起こすことが懸念される。これは洗剤等の他の不純物を含んだ水等であっても同様である。従って水に濡れる環境下での使用後は速やかに溜まった水を排出することが望ましい。このため、直前に水を
検出した場合には、その後のシャットダウンの処理の間にスピーカ７Ｃを鳴らす構成としてもよい。
【００６０】
上記の処理を行わずシャットダウン状態へ移行したときは、経過した時間によっては浸入した水が乾燥し、水に溶けていた塩等が析出している可能性がある。よって次回の起動時に、真水で洗浄する旨のポップアップ１４を表示し、ＯＫボタン１５へのユーザの操作を受けた後に水を検出したあとスピーカ７Ｃの鳴動を行っても良い。
【００６１】
また上記の例では水の検出手段としてタッチパネル２Ａを用いた例を説明したが、マイク孔１３Ｂに水が溜まっていることを推測する手段として気圧センサ５Ｆを用いてもよい。気圧センサ５Ｆは、水の浸入を防ぎ、空気は通す防水シート１６を通して外部の気圧を測定する。しかしながら、この防水シート１６は水に濡れたとき、空気の出入りを阻害するため、正確な気圧を測定できなくなる。具体的には防水シート１６が濡れた状態では、気圧センサ５Ｆが示す値の変化は小さくなる。つまり、気圧センサ５Ｆが示す値がほとんど変化しないとき、スマートフォン１は濡れた後であると予想でき、マイク孔１３Ｂについても水が溜まっている可能性が高い。よって同様にスピーカ７Ｃを鳴動させることで、マイク７Ｂの機能の回復を試みても良い。気圧センサ５Ｆを用いた判断の場合、シャットダウン状態やスリープ状態などタッチパネル２Ａを初めとする各種の機能が停止している状態において、スマートフォン１が水に濡れ、その後タッチパネル２Ａに水が付着していない状態で起動された場合であっても気圧センサ５Ｆによる判定であれば、事後的に判断が可能である。ちなみに気圧は、スマートフォン１が静止状態であったとしても天候の変化に応じて変化するため、気圧センサ５Ｆが示す気圧情報がほとんど変化しなくなったとき、高い確率で濡れている状態であるという判定が可能となる。そのほか、スマートフォン１が備える種々のセンサのいずれかによって、水に濡れたことを検出することができれば、当該センサの情報を判断に用いても良い。
【００６２】
また通知音等がスピーカ７Ｃから出力されない設定が行われていれば、図７のようなポップアップ１４をディスプレイ２Ｂに表示し、ＯＫボタン１５への入力を検知したとき、ユーザの承認を得たとしてスピーカ７Ｃの鳴動を行ってもよい。スピーカ７Ｃを鳴動させる際には、スマートフォン１の設定に関わらず、ある程度以上大きな音量であることが望ましい。出力する音響は種々の通知音、メッセージ、音楽のいずれであってもよい。スピーカ７Ｃは固有の共振周波数を有しており、その共振周波数の音響を出力することで、振動板を最大の大きさで振動させることが可能である。よって端末毎のスピーカ７Ｃに合わせた共振周波数の周辺の音声データ９Ｅをストレージ９に保存しておき、マイク孔１３Ｂ内の水の排出の為に用いても良い。スマートフォンに用いられるスピーカは一般的に１ｋＨｚ前後に共振周波数を有するため、スマートフォン全般に適用できる音声データ９Ｅとして１ｋＨｚ周辺のデータを用いても良い。なお大きめのスピーカでは共振周波数は８００Ｈｚ〜７００Ｈｚ周辺となるため、スマートフォンに備えられるスピーカの大部分に適用できる音声データ９Ｅとして１．２ｋＨｚ〜６００ｋＨｚ程度の範囲で時間毎に変化する汎用的に使用できる音声データ９Ｅであってもよいし、スピーカに合わせた固有の音声データ９Ｅを有していてもよい。周波数が変化することで、どのようなスピーカ７Ｃが備えられていても、より効率的な水の排出が可能となる。
【００６３】
しかしながら上記の周波数は、人の耳の可聴領域に属するため、ユーザに不快感を与える恐れや周囲の迷惑となる恐れがある。よって人の耳の可聴領域外である超音波（２０ｋＨｚ以上）を用いてもよい。また超音波の音声データ９Ｅと共振周波数周辺の音声データ９Ｅのうち、どちらを選ぶかポップアップでユーザに選択させてもよい。またマナーモード等の設定により決定してもよい。
【００６４】
またポップアップを表示する際に、スピーカ７Ｃを指で塞ぐ旨のメッセージを表示して
もよい。当該メッセージにユーザが従い、スピーカ孔１３Ｃが指で抑えられたとき、スピーカ７Ｃの振動板によって発生した空気の流れは開口１８Ｅからマイク７Ｂ方向へより多く進む。すなわち、より確実にマイク孔１３Ｂに残留した水を取り除くことができる。
【００６５】
スマートフォン１のイヤホンジャック１２やコネクタ１１、通信ユニット６等を利用し、音響を出力する外部機器が接続されている時、一般的に音響はその外部機器から出力され、スピーカ７Ｃからは出力されない。つまりマイク孔１３Ｂに水が残留することとなるため、外部機器が接続されている場合であっても、スピーカ７Ｃから音響を出力してもよい。または外部機器との接続を切るよう、音声あるいはディスプレイ２Ｂでの表示によって、ユーザに指示してもよい。なおここで述べた外部機器とは、音響を出力する機器であり、イヤホン、ヘッドセット、外部スピーカ等であるが、映像も併せて送るメガネ型デバイス等でもよい。また通知情報をユーザに報知する腕時計型デバイス等が接続されている場合であっても通知音をスピーカ７Ｃから出力してもよいし、外部機器およびスピーカ７Ｃの両方で音響を出力してもよい。
【００６６】
＜第２の実施例＞
第２の実施例に基づくスマートフォン１の構成について説明する。なお構成については異なる点のみ説明する。本実施例では、図８〜１１に示すように、２つの開口（１８Ｂ、１８Ｄ）を有するマイク孔１３Ｂに対して、スピーカ孔１３Ｃから伸びるダクト１３Ｅを有する。
【００６７】
当該構成によると、開口１８Ｂもしくは開口１８Ｄからマイク孔１３Ｂに空気が流入しやすくなる。これによりスピーカ７Ｃの鳴動がなくとも、残留した水の排出が可能となるほか、マイク７Ｂの前に設置された防水シート１６が乾燥しやすくなる。また、どちらか一方の開口から流水を流すことで、マイク孔１３Ｂ内の洗浄が可能となる。洗浄が可能となることで、防水シート１６上への塩等の析出を防止、または析出してしまった塩を取り除くことが可能となる。
【００６８】
またダクト１３Ｅの直径が太い場合や、複数のダクト１３Ｅが形成されている場合、より多くの空気が流れることから水を排出する能力が向上する。
【００６９】
図８ではマイク７Ｂとスピーカ７Ｃが並行に位置することから、両者を回路基板に配置しやすく、ダクト１３Ｅの中心軸はマイク孔１３Ｂの中心軸と同一の直線上にあり、設計および製造が容易である。ここではダクト１３Ｅは、スピーカ孔１３Ｃからマイク孔１３Ｂに向かうにつれて細くなっていくテーパー状の形状として図示したが、当該形状によると、スピーカ７Ｃの振動板から発せられた空気の流動はダクト１３Ｅ中で流路が狭くなることで加速され、マイク孔１３Ｂに至ったとき、より強く水を排出させる効果がある。また当該形状に限られず、太さが一定であり、且つマイク孔１３Ｂと同じ太さとすることで、より設計および製造は容易となる。
【００７０】
図９および図１０では、マイク孔１３Ｂの形状は２つの開口の間を最短距離で結ぶ開口１８Ｂから１８Ｄまで、曲がらず、まっすぐな形状の孔とすることで、空気の流れが阻害されず、流入しやすいという利点がある。図９および図１０もダクト１３Ｅの形状が直線のみで構成され簡単であるため図８と同様に製造・設計が容易であるという利点を有する。また図１１の構成によると、ダクト１３Ｅのスピーカ孔１３Ｃ側の開口は、スピーカ７Ｃの振動板の方向へ向けて開設されているため、図８の形状より多くの空気がマイク孔１３Ｂに導かれる。
【００７１】
なおダクト１３Ｅやマイク孔１３Ｂの形状は図８〜１１の構成に限られず、異なる形状もしくは異なる配置、またそれぞれの孔が複数設けられていてもよい。
【００７２】
なお図９〜１１には、斜めの形状のマイク孔１８Ｂを図示した。仮に、マイク孔１３Ｂが紙面左側から右側へまっすぐに伸びる形状、つまりスマートフォン１の背面および前面に開口を有するストレート形状である場合、平面上にスマートフォン１を置くと、２つの開口のいずれかが塞がれ、空気が流れにくいという課題が生じる。
【００７３】
しかしながら斜めの形状にし、隣り合う異なる面にそれぞれの開口（１８Ｂ、１８Ｄ）を有した図９〜１１に示す構造によると、開口のいずれも塞がれることのないスマートフォン１の置き方が可能となり、空気の流路が確保されることで内部を乾燥させやすくなる。且つ、重力方向に傾きがあることで水の排出が促進される。本実施例においては、ディスプレイ２Ｂを備える面を下側にした置き方が該当する。なお、図１２のように、スマートフォンの側面にそれぞれマイク孔の開口１８Ｂと開口１８Ｄを設けてもよい。その場合にはディスプレイを備える面を上側に静置した場合にも、下側に静置した場合にも、空気の流路が確保される。
【００７４】
また第１の実施例と同様に、より多くの空気をマイク孔１３Ｂへ導くため、ダクト１３Ｅのスピーカ孔１３Ｃ側の開口１８Ｅはできるだけスピーカ７Ｃの振動板の方向へ向けることが望ましい。複数の部材を接合して筐体２Ｃを構成しているときには、スピーカ孔１３Ｃおよびマイク孔１３Ｂは単体の部材に設けられた孔ではなく、複数の部材を接合したとき初めて形成される形状であってもよい。これはダクト１３Ｅに関しても同様であり、一つの部材にダクト１３Ｅが形成されるのではなく、部材同士の接合面に溝を設ける構造とし、合わせたときにダクト１３Ｅが形成されてもよい。またダクト１３Ｅの経路の全てを筐体２Ｃの樹脂材料中に設けるのではなく、一部が別の部材によって形成されてもよい。例えば、一部をチューブ等によって形成してもよい。
【００７５】
また、第１の実施例と同様、複数のスピーカ孔１３Ｃと一つのマイク孔１３Ｂがダクト１３Ｅによって接続されてもよいし、一つのスピーカ孔と複数のマイク孔が接続されていてもよい。
【００７６】
またここまで、ダクト１３Ｅはスピーカ孔１３Ｃとマイク孔１３Ｂとを繋ぐよう構成されているものとしたが、別の構成であってもよい。例えばレシーバ孔１３Ａとスマートフォン１の上部に設けられたマイク孔１３Ｄとを繋ぐものであってもよい。レシーバ７Ａもスピーカ７Ｃと同様に音響を出力する機能を有するため、レシーバ孔１３Ａとマイク孔１３Ｄを繋ぐダクトを形成することで、同様に水を排除することができる。スマートフォン１では下部に設けられたマイク７Ｂが主に用いられるが、ノイズキャンセリング等の用途に用いるため、上部に別のマイクが設けられていることがある。スマートフォン１の上部に設けられたマイク孔１３Ｄの水を排出するダクトは、より近い距離にあるレシーバ孔１３Ａとの間に形成することが望ましい。
【００７７】
またダクト１３Ｅ、スピーカ孔１３Ｃおよびマイク孔１３Ｂの断面の形状は円形に限られない。空気の流れを阻害しないため、なめらかな形状であることが望ましいが、三角形や矩形、半円形、扇型などどのような形状でも構わないし、経路中を通して太さが一定でなくてもよい。
【００７８】
更に本実施例においても第１の実施例と同様に、音声を能動的に出力し、マイク孔１３Ｂに残留した水の排出に用いても良い。
【００７９】
上記の通り、本発明における実施例の一つとして、スマートフォン１を例とした説明を行ったが、スマートフォン１以外にも、他の電子機器についても同様に適用できる。例えばフィーチャーフォン、タブレット端末、ＰＤＡ、デジタルカメラ、音楽プレイヤー、ゲ
ーム機、腕時計型デバイスなどが挙げられる。
【００８０】
別の形態の電子機器では、スピーカ、レシーバ以外に振動し、空気の流動を発生させる部品が備えられている可能性もあるが、当該部品を本明細書で説明したスピーカ７Ｃやレシーバ７Ａの代替として用いても良い。
【００８１】
なおここまで、スピーカ７Ｃの鳴動により発生する風で、マイク孔１３Ｂに溜まった水を排出する構成について説明したが、必ずしもマイクのための孔である必要はなく、スマートフォン１に設けられた別の孔であっても同様に水の排出は可能である。
【００８２】
本明細書では、添付の請求項に係る技術を完全かつ明瞭に開示するために特徴的な実施例に関し記載してきた。しかし、添付の請求項は、上記の実施例に限定されるべきものでなく、本明細書に示した基礎的事項の範囲内で当該技術分野の当業者が創作しうるすべての変形例及び代替可能な構成により具現化されるべきである。
【符号の説明】
【００８３】
１  スマートフォン
２Ａ  タッチパネル
２Ｂ  ディスプレイ
２Ｃ  筐体
３  ボタン
４  電源
５Ａ  照度センサ
５Ｂ  近接センサ
５Ｃ  加速度センサ
５Ｄ  ジャイロセンサ
５Ｅ  方位センサ
５Ｆ  気圧センサ
６  通信ユニット
７Ａ  レシーバ
７Ｂ  マイク
７Ｃ  スピーカ
８Ａ  インカメラ
８Ｂ  アウトカメラ
９  ストレージ
９Ａ  制御プログラム
９Ｂ  アプリケーション
９Ｃ  設定情報
９Ｄ  センサ情報
９Ｅ  環境情報
１０  プロセッサ
１１  コネクタ
１２  イヤホンジャック
１３Ａ  レシーバ孔
１３Ｂ  マイク孔
１３Ｃ  スピーカ孔
１３Ｅ  ダクト
１４  ポップアップ
１５  ＯＫボタン
１８Ａ  開口
１８Ｂ  開口
１８Ｃ  開口
１８Ｄ  開口
１８Ｅ  開口
【図１】
2017175284.tif 000003
【図２】
2017175284.tif 000004
【図３】
2017175284.tif 000005
【図４】
2017175284.tif 000006
【図５】
2017175284.tif 000007
【図６】
2017175284.tif 000008
【図７】
2017175284.tif 000009
【図８】
2017175284.tif 000010
【図９】
2017175284.tif 000011
【図１０】
2017175284.tif 000012
【図１１】
2017175284.tif 000013
【図１２】
2017175284.tif 000014